(57)【要約】【課題】ＲＦタグ２２を目立たないように用紙に付加することができるようにする。【解決手段】用紙Ｐに形成する画像を構成する各画素についての色階調値を含む画像データを記憶するＲＡＭ７と、画像データの画素についての色階調値に基づいて、用紙Ｐに付加するＲＦタグ２２の色と同一又は類似する色の画像における領域を検出し、検出された領域をＲＦタグ２２の付加領域として決定する領域検出決定部４ｂと、付加領域にＲＦタグ２２が位置するように用紙ＰにＲＦタグ２２を付加するＲＦタグ付加部１９と、用紙に画像を形成する印刷機構部１１とを有するように構成する。【選択図】図１
2007140094.tif 000002
【特許請求の範囲】
【請求項１】
画像形成媒体に形成する画像を構成する各画素についての色階調値を含む画像データを記憶する画像データ記憶手段と、
前記画像データの画素についての色階調値に基づいて、前記画像形成媒体に付加するＲＦタグの色と同一又は類似する色の前記画像における領域を検出する領域検出手段と、
検出された前記領域を前記ＲＦタグの付加領域として決定する付加領域決定手段と、
前記画像の前記決定された付加領域にＲＦタグが位置するように前記画像形成媒体にＲＦタグを付加するＲＦタグ付加手段と、
前記画像形成媒体に前記画像を形成する画像形成手段と
を有する画像形成装置。
【請求項２】
前記ＲＦタグ付加手段は、前記画像形成媒体への画像形成を行うための着色剤よりも前記画像形成媒体側にＲＦタグを付加することを特徴とする請求項１に記載の画像形成装置。
【請求項３】
前記ＲＦタグ付加手段は、前記画像形成媒体へ画像形成が行なわれる前に、前記画像形成媒体にＲＦタグを付加することを特徴とする請求項１又は請求項２に記載の画像形成装置。
【請求項４】
前記ＲＦタグ付加手段は、前記画像形成媒体に画像形成を行うための着色剤と前記ＲＦタグとを合わせておき、前記画像形成媒体へ画像形成を行う際に前記着色剤と前記ＲＦタグとを前記画像形成媒体に付加することを特徴とする請求項１又は請求項２に記載の画像形成装置。
【請求項５】
ＲＦタグの色と同一又は類似する色の領域とは、純粋な黒色又はそれに類似する色の領域であることを特徴とする請求項１乃至請求項４のいずれか一項に記載の画像形成装置。
【請求項６】
前記画素がとり得る色階調値についての、当該色階調値の示す色と前記ＲＦタグの色との同一及び類似の度合いを示す類似度テーブルを更に備え、
前記領域検出手段は、前記類似度テーブルを用いて、前記画像形成媒体に付加するＲＦタグの色との同一又は類似する色の前記画像における領域を検出することを特徴とする請求項１乃至請求項５のいずれか一項に記載の画像形成装置。
【請求項７】
前記領域検出手段は、前記類似度テーブルを用いて、前記画像形成媒体に付加するＲＦタグの色と同一の領域、又は最も類似する色の領域を検出することを特徴とする請求項６に記載の画像形成装置。
【請求項８】
前記領域検出手段は、所定数の画素から構成される判定対象領域における特徴となる色階調値に基づいて、当該判定対象領域がＲＦタグの色と同一又は類似する色の領域であるか否かを判定することにより、前記画像形成媒体に付加するＲＦタグの色と同一又は類似する色の前記画像における前記領域を検出することを特徴とする請求項１乃至請求項７のいずれか一項に記載の画像形成装置。
【請求項９】
前記判定対象領域は、前記ＲＦタグの広さ以上の広さを有することを特徴とする請求項８に記載の画像形成装置。
【請求項１０】
画像形成媒体に形成する画像を構成する各画素についての色階調値を含む画像データを記憶する画像データ記憶手段と、
前記画像データの画像についての色階調値に基づいて、前記画像形成媒体に付加するＲＦタグの色と同一又は近似する色の領域を検出する領域検出手段と、
検出された前記領域を前記ＲＦタグの付加領域として決定する付加領域決定手段とを有する付加領域決定装置。
【請求項１１】
画像を画像形成媒体に形成する画像形成装置による画像形成方法であって、
前記画像形成装置は、前記画像形成媒体に形成する前記画像を構成する各画素についての色階調値を含む画像データを記憶する画像データ記憶手段を有しており、
前記画像データの画素についての色階調値に基づいて、前記画像形成媒体に付加するＲＦタグの色と同一又は近似する色の領域を検出する領域検出ステップと、
検出された前記領域を前記ＲＦタグの付加領域として決定する付加領域決定ステップと、
前記決定された付加領域に対してＲＦタグが付加されるように前記画像形成媒体に付加するＲＦタグ付加ステップと、
前記画像形成媒体に前記画像を形成する画像形成ステップとを有する画像形成方法。
【請求項１２】
画像を形成する画像形成媒体にＲＦタグを付加する位置を決定する付加領域決定装置による付加領域決定方法であって、
前記付加領域決定装置は、前記画像形成媒体に形成する前記画像を構成する各画素についての色階調値を含む画像データを記憶する画像データ記憶手段を有し、
前記画像データの画像についての色階調値に基づいて、前記画像形成媒体に付加するＲＦタグの色と同一又は近似する色の領域を検出する領域検出ステップと、
検出された前記領域を前記ＲＦタグの付加領域として決定する付加領域決定ステップとを有する付加領域決定方法。
【発明の詳細な説明】
【技術分野】
【０００１】
本発明は、画像を形成する紙、ＯＨＰシート等の画像形成媒体にＲＦタグを付加する画像形成装置、及び画像形成媒体におけるＲＦタグの付加する領域を決定する付加領域決定装置等に関する。
【背景技術】
【０００２】
従来、ＲＦＩＤ（Radio Frequency Identification）技術、すなわち、無線電波を利用した非接触の自動認識技術が注目されている。このＲＦＩＤ技術では、例えば、アンテナ付ＩＣチップにユーザ、商品等の情報を記憶させておき、アンテナを介してアンテナ付ＩＣチップから情報を読み取ってユーザ、商品等の認証等する。この場合においては、アンテナ付ＩＣチップが、タグ、ラベル、カード等の形に加工されて用いられている。ここで、アンテナ付ＩＣチップ、又はアンテナ付ＩＣチップが組み込まれたタグ、ラベル、カード等を総称してＲＦ（Radio Frequency：無線）タグということとする。
【０００３】
従来、ＲＦタグが予め埋め込まれた画像形成媒体に対して印刷を行う印刷装置が知られている（例えば、特許文献１参照）。
【特許文献１】特開２００４−２４５８７０号公報
【発明の開示】
【発明が解決しようとする課題】
【０００４】
例えば、ＲＦタグは、内部に重要な情報を書き込むために使われることもあり、画像形成媒体にＲＦタグが存在すること伏せておきたいといった要望や、画像形成媒体でのＲＦタグの位置を第三者に容易に把握されないようにしたいという要望もある。
これに対して、上記したような予めＲＦタグが画像形成媒体に埋め込まれている場合には、基本的には、ＲＦタグの埋め込み位置が決まっているので、ＲＦタグの埋め込み位置が容易に把握されてしまう虞がある。
【０００５】
また、画像形成媒体に対して印刷時にＲＦタグを付加するようにした場合には、ＲＦタグを付加する位置によっては、ＲＦタグが目立ってしまうといった虞がある。
さらに、ＲＦタグに重要な情報を書き込まない場合においても、ＲＦタグが目立ってしまうと、画像の見栄えに悪影響を及ぼす虞がある。
本発明は、上記課題に鑑みなされたものであり、その目的は、ＲＦタグを目立たないように画像形成媒体に付加することのできる技術を提供することにある。また、ＲＦタグを付加しても目立たない画像形成媒体における領域を適切に検出することのできる技術を提供する。
【課題を解決するための手段】
【０００６】
上記目的達成のため、本発明の一実施形態に係る画像形成装置は、画像形成媒体に形成する画像を構成する各画素についての色階調値を含む画像データを記憶する画像データ記憶手段と、画像データの画素についての色階調値に基づいて、画像形成媒体に付加するＲＦタグの色と同一又は類似する色の画像における領域を検出する領域検出手段と、検出された領域をＲＦタグの付加領域として決定する付加領域決定手段と、画像の決定された付加領域にＲＦタグが位置するように画像形成媒体にＲＦタグを付加するＲＦタグ付加手段と、画像形成媒体に画像を形成する画像形成手段とを有する。
かかる構成によると、画像形成媒体に形成される画像におけるＲＦタグの色と同一又は類似する色の領域に、ＲＦタグを付加することができ、画像形成媒体におけるＲＦタグを目立たないようにすることができる。
【０００７】
上記画像形成装置において、ＲＦタグ付加手段は、画像形成媒体への画像形成を行うための着色剤よりも画像形成媒体側にＲＦタグを付加するようにしてもよい。かかる構成によると、ＲＦタグよりも上に着色剤がのるようにすることができる。このため、例えば、ＲＦタグが目立たなくなったり、ＲＦタグが画像形成媒体に適切に付着されるようになったり、ＲＦタグへの熱等の影響を和らげることが可能になったり等の効果を得ることができる。
【０００８】
また、上記画像形成装置において、ＲＦタグ付加手段は、画像形成媒体へ画像形成が行なわれる前に、画像形成媒体にＲＦタグを付加するようにしてもよい。かかる構成によると、着色剤が付される前に確実に画像形成媒体にＲＦタグを付加することができる。
また、上記画像形成装置において、ＲＦタグ付加手段は、画像形成媒体に画像形成を行うための着色剤とＲＦタグとを合わせておき、画像形成媒体へ画像形成を行う際に着色剤とＲＦタグとを画像形成媒体に付加するようにしてもよい。かかる構成によると、画像形成媒体へ画像形成を行う際に、画像形成媒体へ着色剤及びＲＦタグを同一工程により付加することができる。このため、例えば、着色剤を画像形成媒体に付加する機構とＲＦタグを付加する機構との一部を共用することができる。
【０００９】
また、上記画像形成装置において、ＲＦタグの色と同一又は類似する色の領域とは、純粋な黒色又はそれに類似する色の領域であってもよい。かかる構成によると、純粋な黒色のＲＦタグを画像形成媒体において目立たなくすることができる。
また、上記画像形成装置において、画素がとり得る色階調値についての、当該色階調値の示す色とＲＦタグの色との同一及び類似の度合いを示す類似度テーブルを更に備え、領域検出手段は、類似度テーブルを用いて、画像形成媒体に付加するＲＦタグの色との同一又は類似する色の画像における領域を検出するようにしてもよい。かかる構成によると画像形成媒体に付加するＲＦタグの色との同一又は類似する色の画像における領域を適切に検出することができる。
【００１０】
また、上記画像形成装置において、領域検出手段は、類似度テーブルを用いて、画像形成媒体に付加するＲＦタグの色と同一の領域、又は最も類似する色の領域を検出するようにしてもよい。かかる構成によると、ＲＦタグを同一の色の領域又は最も類似する色の領域に付加することができ、画像形成媒体においてより効果的にＲＦタグを目立たなくすることができる。
【００１１】
また、上記画像形成装置において、領域検出手段は、所定数の画素から構成される判定対象領域における特徴となる色階調値に基づいて、当該判定対象領域がＲＦタグの色と同一又は類似する色の領域であるか否かを判定することにより、画像形成媒体に付加するＲＦタグの色と同一又は類似する色の画像における領域を検出するようにしてもよい。かかる構成によると、ＲＦタグの色と同一又は類似する色の領域として、所定数の画素から構成される領域を検出することができる。
また、上記画像形成装置において、判定対象領域は、ＲＦタグの広さ以上の広さを有するようにしてもよい。かかる構成により、ＲＦタグの全体を適切に目立たなくすることのできる領域を検出することができる。
【００１２】
また、本発明の一実施形態に係る付加領域決定装置は、画像形成媒体に形成する画像を構成する各画素についての色階調値を含む画像データを記憶する画像データ記憶手段と、画像データの画像についての色階調値に基づいて、画像形成媒体に付加するＲＦタグの色と同一又は近似する色の領域を検出する領域検出手段と、検出された領域をＲＦタグの付加領域として決定する付加領域決定手段とを有する。
かかる構成によると、画像形成媒体に形成される画像におけるＲＦタグの色と同一又は類似する色の領域を、ＲＦタグの付加領域として検出して決定することができる。このため、当該付加領域にＲＦタグを付加することにより、画像形成媒体におけるＲＦタグを目立たないようにすることができる。
【００１３】
また、本発明の一実施形態に係る画像形成方法は、画像を画像形成媒体に形成する画像形成装置による画像形成方法であって、画像形成装置は、画像形成媒体に形成する画像を構成する各画素についての色階調値を含む画像データを記憶する画像データ記憶手段を有しており、画像データの画素についての色階調値に基づいて、画像形成媒体に付加するＲＦタグの色と同一又は近似する色の領域を検出する領域検出ステップと、検出された領域をＲＦタグの付加領域として決定する付加領域決定ステップと、決定された付加領域に対してＲＦタグが付加されるように画像形成媒体に付加するＲＦタグ付加ステップと、画像形成媒体に画像を形成する画像形成ステップとを有する。
かかる方法によると、画像形成媒体に形成される画像におけるＲＦタグの色と同一又は類似する色の領域に、ＲＦタグを付加することができ、画像形成媒体におけるＲＦタグを目立たないようにすることができる。
【００１４】
また、本発明の一実施形態に係る付加領域決定方法は、画像を形成する画像形成媒体にＲＦタグを付加する位置を決定する付加領域決定装置による付加領域決定方法であって、付加領域決定装置は、画像形成媒体に形成する画像を構成する各画素についての色階調値を含む画像データを記憶する画像データ記憶手段を有し、画像データの画像についての色階調値に基づいて、画像形成媒体に付加するＲＦタグの色と同一又は近似する色の領域を検出する領域検出ステップと、検出された領域をＲＦタグの付加領域として決定する付加領域決定ステップとを有する。
かかる方法によると、画像形成媒体に形成される画像におけるＲＦタグの色と同一又は類似する色の領域を、ＲＦタグの付加領域として検出して決定することができる。このため、当該付加領域にＲＦタグを付加することにより、画像形成媒体におけるＲＦタグを目立たないようにすることができる。
【発明を実施するための最良の形態】
【００１５】
本発明の実施形態について、図面を参照して説明する。なお、以下に説明する実施形態は特許請求の範囲にかかる発明を限定するものではなく、また実施形態の中で説明されている特徴の組合せの全てが発明の解決手段に必須であるとは限らない。
【００１６】
まず、本発明の第１実施形態に係る画像形成システムについて説明する
図１は、本発明の第１実施形態に係る画像形成システムの構成図である。
画像形成システム１において、例えば、ＰＣ（パーソナルコンピュータ）等のホスト装置２と、画像形成装置及び付加領域決定装置の一例としてのレーザープリンタ３とが、例えば、ＵＳＢケーブル等によって接続されている。
ホスト装置２は、利用者の操作に従って、画像形成を行う画像データを含む印刷データ２１（図２参照。）を生成して、レーザープリンタ３に送信する。
レーザープリンタ３は、ホスト装置２から送信された印刷データ２１に従って、画像を紙、ＯＨＰシート等の画像形成媒体（以下、用紙ともいう。）に形成する。また、レーザープリンタ３は、ＲＦタグ２２（図３参照）を用紙に付加する。
【００１７】
図２は、本発明の第１実施形態に係る印刷データの構成を説明する図である。
印刷データ２１は、ホスト装置２により生成されるデータであって、印刷データ２１の開始を示すジョブスタート部（ＪＳ部）２１ａと、ジョブ言語データ部２１ｂと、プリンタ言語データ部２１ｃと、書込データ部２１ｄと、印刷データ２１の終了を示すジョブエンド部（ＪＥ部）２１ｅとを有する。
ジョブ言語データ部２１ｂは、ジョブ言語に従って記述される部分であり、ホスト装置名、ジョブ番号、プリンタ言語データ部２１ｃにおいて記述するプリンタ言語（例えば、ＥＳＣ／ＰＡＧＥ、ＰｏｓｔＳｃｒｉｐｔ等）を示すコマンド等が含まれる。本実施形態においては、画像を形成する用紙にＲＦタグ２２を付加させる場合には、ＲＦタグ２２を付加させることを示すコマンドが格納される。
【００１８】
プリンタ言語データ部２１ｃは、プリンタ言語に従って記述される部分であり、例えば、印刷する画像内容を示す画像データが含まれる。
書込データ部２１ｄは、ＲＦタグ２２を付加させる場合において存在する部分であり、ＲＦタグ２２に書き込むための書込データが含まれる。
【００１９】
図３は、本発明の第１実施形態に係るＲＦタグの構成を説明する図である。
ＲＦタグ２２は、ＩＣチップ２３と、無線波によりデータを送受信するためのアンテナ２４とを有する。本実施形態のＲＦタグ２２においては、ＩＣチップ２３上にアンテナ２４が形成されており、ＩＣチップ２３とアンテナ２４とは、端子２５ａ及び２５ｂによって接続されている。ＩＣチップ２３は、データを記憶する記憶部と、アンテナ２４を介して外部へデータを送信する送信部と、アンテナ２４を介して外部からデータを受信する受信部とを有する。
【００２０】
本実施形態のＲＦタグ２２は、例えば、０．５ｍｍ×０．５ｍｍの大きさとなっている。また、ＲＦタグ２２の紙面手前側の面には、用紙に付着するための図示しない粘着剤が塗布されており、当該面を向けて用紙に付着できるようになっている。このため、画像形成媒体に形成された画像を見る利用者には、ＲＦタグ２２の紙面裏側の面が向けられることとなる。このＲＦタグ２２の紙面裏側の面は、ＩＣチップ２３の基板が露出しており、例えば、純粋な黒色となっている。ここで、用紙にＲＦタグ２２が付着した際に、利用者に対して露出されることとなる側の面のことをＲＦタグの露出面ということとする。
【００２１】
図１に戻り、レーザープリンタ３において、ＣＰＵ（Central Processing Unit）４と、通信インターフェース部（通信Ｉ／Ｆ部）５と、ＲＯＭ（Read Only Memory）６と、画像データ記憶手段の一例としてのＲＡＭ（Random Access Memory）７と、ＥＥＰＲＯＭ（Electrically Erasable Programmable Read-Only Memory）８と、機構制御部９とがバス１０を介して接続されている。
【００２２】
通信Ｉ／Ｆ部５は、例えば、ＵＳＢケーブルを介してホスト装置２との間のデータ交換の仲介を行う。
ＲＯＭ６は、ブートプログラム等のプログラムや、後述する付加領域決定処理等のプログラムを記憶する。
ＲＡＭ７は、プログラムやデータを記憶する領域として、或いは、ＣＰＵ４による処理に使用しているデータを格納する作業領域として利用される。ＲＡＭ７は、印刷データ２１に含まれているＲＦタグ２２に書き込むための書込データを記憶する。また、ＲＡＭ７は、用紙に形成すべき画像についての画像データを記憶する。本実施形態では、ＲＡＭ７が記憶する画像データは、画像を構成する各画素についての、シアン（Ｃ）、マゼンタ（Ｍ）、イエロー（Ｙ）、ブラック（Ｋ）の各色の階調値を含んでいるＣＭＹＫラスタイメージデータとしている。各色の階調値は、例えば、８ビットのデータで表現されており、１０進数で表すと０〜２５５のいずれかの値となっている。
【００２３】
図４は、本発明の第１実施形態に係るＲＡＭにおける画像データ記憶状態の一例を示す概念図である。
ＲＡＭ７は、画像データのすべての画素についての、シアン（Ｃ）、マゼンタ（Ｍ）、イエロー（Ｙ）、ブラック（Ｋ）の各色毎の階調値を記憶するイメージバッファ７Ｃ、７Ｍ、７Ｙ、７Ｋを有している。各イメージバッファ７Ｃ、７Ｍ、７Ｙ、７Ｋには、画像における各画素の主走査方向及び副走査方向の位置関係が把握可能なように、各画素の階調値が格納されている。
【００２４】
図１に戻り、ＥＥＰＲＯＭ８は、書き換え可能な不揮発性メモリであり、レーザープリンタ３の電源が入っていない場合でも記憶しておく必要がある各種情報を記憶する。本実施形態では、ＥＥＰＲＯＭ８は、ＲＦタグ２２の色、具体的には、ＲＦタグ２２の露出面の色と、画素がとり得る階調値の組合せとの同一又は類似する度合い（同一類似度）に関する類似度テーブル２６を記憶する。
【００２５】
図５は、本発明の第１実施形態に係る類似度テーブルの一例を示す図である。
類似度テーブル２６は、類似度順位フィールド２６ａと、Ｃ階調値フィールド２６ｂと、Ｍ階調値フィールド２６ｃと、Ｙ階調値フィールド２６ｄと、Ｋ階調値フィールド２６ｅとを有するレコードを複数管理するようになっている。
類似度順位フィールド２６ａは、ＲＦタグ２２の露出面の色と、対応するレコードの各色の階調値の組合せが示す色との同一類似度の順位（同一類似度順位）を格納する。同一類似度の順位が上位（順位値が小さい）ほど、同一類似度が高い、すなわち、同一であるか、或いは、より類似していることを示している。
【００２６】
Ｃ階調値フィールド２６ｂは、対応するレコードの同一類似度順位を有する色におけるシアンの階調値を格納する。
Ｍ階調値フィールド２６ｃは、対応するレコードの同一類似度順位を有する色におけるマゼンタの階調値を格納する。
Ｙ階調値フィールド２６ｄは、対応するレコードの同一類似度順位を有する色におけるイエローの階調値を格納する。
Ｋ階調値フィールド２６ｅは、対応するレコードの同一類似度順位を有する色におけるブラックの階調値を格納する。
【００２７】
例えば、一番上のレコードによると、シアンの階調値が”０”、マゼンタの階調値が”０”、イエローの階調値が”０”、ブラックの階調値”２５５”の組合せの色がＲＦタグ２２の露出色との同一類似度が高いことを示している。
なお、当該類似度テーブル２６における同一類似度順位については、ＲＦタグ２２の色と階調値の組合せとに基づいて所定のアルゴリズムで決定し、決定した内容を設定しておくようにしてもよく、また、少なくとも一部の順位について、階調値の組合せによる画像形成時の色とＲＦタグ２２の露出色とを実際に人間が観察し、その観察結果に基づいて順位をつけ、その順位を反映させておくようにしてもよい。
【００２８】
図１に戻り、機構制御部９には、画像形成手段の一例としての印刷機構部１１及びＲＦタグ機構部１２が接続される。機構制御部９は、印刷機構部１１の動作を制御することにより、用紙に画像を形成させる。また、機構制御部９は、ＲＦタグ機構部１２の動作を制御することにより、ＲＦタグ２２に所定のデータを書き込ませるとともに、用紙の所定の領域（位置）にＲＦタグ２２を付加させる。
【００２９】
印刷機構部１１は、トナー像を形成させるための感光体ドラム１３Ｙ、１３Ｍ、１３Ｋ、１３Ｃ（図６参照。）を有する感光体ユニット１３と、感光体ドラム１３Ｙ、１３Ｍ、１３Ｋ、１３Ｃに静電潜像を形成するためのレーザ光を照射する露光ユニット１４と、感光体ドラム１３Ｙ、１３Ｍ、１３Ｋ、１３Ｃに形成された静電潜像を着色剤の一例としてのトナーによって現像することによってトナー像を形成する現像ユニット１５と、感光体ドラム１３Ｙ、１３Ｍ、１３Ｋ、１３Ｃに形成されたトナー像を用紙に転写する転写ユニット１６と、用紙に転写されたトナー像を定着させる定着ユニット１７と、用紙の給排紙を行う給排紙ユニット１８とを有する。
【００３０】
ＲＦタグ機構部１２は、ＲＦタグ２２を用紙の所定の領域に付加するＲＦタグ付加手段の一例としてのＲＦタグ付加部１９と、ＲＦタグ２２に所定のデータを書き込ませるリーダ・ライタ部２０とを有する。
【００３１】
ＣＰＵ４は、各部５〜９の動作を制御する。また、ＣＰＵ４は、ＲＯＭ６に格納されているプログラムをＲＡＭ７に読み出して実行することにより、コマンド解釈部４ａと、領域検出手段及び付加領域決定手段の一例としての領域検出決定部４ｂと、印刷制御部４ｃとを構成して各種処理を実行する。
コマンド解釈部４ａは、通信Ｉ／Ｆ部５を介してホスト装置２から受信した印刷データ２１に格納されているコマンドを解釈する。例えば、コマンド解釈部４ａは、印刷データ２１に格納されているプリンタ言語形式の画像データに基づいて、ＣＭＹＫラスタイメージデータを生成してＲＡＭ７のイメージバッファ７Ｃ、７Ｍ、７Ｙ、７Ｋに格納する。
【００３２】
領域検出決定部４ｂは、イメージバッファ７Ｃ、７Ｍ、７Ｙ、７Ｋに格納された画像を構成する画素の階調値に基づいて、ＲＦタグ２２の露出色と同一又は類似する色の画像の領域を検出し、当該領域をＲＦタグ２２の付加領域として決定する。
本実施形態では、領域検出決定部４ｂは、所定数の画素から構成される判定対象領域Ａ（図４参照。）における特徴となる色階調値（特徴色階調値）を算出する。
本実施形態では、判定対象領域Ａは、ＲＦタグ２２の広さ以上の広さがある所定数の画素からなる領域としている。具体的には、本実施形態では、レーザープリンタ３の画像形成の解像度が６００ｄｐｉ（Dot Per Inch）であり、ＲＦタグ２２の大きさが０．５ｍｍ×０．５ｍｍであるので、判定対象領域Ａを、例えば、１２画素×１２画素の領域としている。
ここで、１インチは、約２５．４ｍｍであるので、用紙に印刷した際における１画素の縦サイズ及び横サイズのそれぞれは、約２５．４ｍｍ／６００（ｄｐｉ）、すなわち、約０．０４２３３ｍｍとなる。よって、１２画素は、約０．０４２３３ｍｍ×１２＝約０．５０７９６ｍｍとなる。このことから、１２画素×１２画素の領域は、０．５ｍｍ×０．５ｍｍの広さのＲＦタグ２２より広い領域であることがわかる。
【００３３】
また、本実施形態では、特徴色階調値としては、判定対象領域Ａのすべての画素について階調値の平均値を各色ごとに算出したものを用いている。すなわち、判定対象領域Ａのすべての画素についての、シアンの階調値の平均値と、マゼンタの階調値の平均値と、イエローの階調値の平均値と、ブラックの階調値の平均値との組合せを特徴色階調値としている。
領域検出決定部４ｂは、特徴色階調値に対応する同一類似度順位を類似度テーブル２６から検出する。
また、領域検出決定部４ｂは、判定対象領域Ａを画像内でずらしつつ、各位置での判定対象領域Ａの同一類似度順位を検出し、画像内での同一類似度順位が最上位の判定対象領域をＲＦタグ２２の付加領域として決定する。
【００３４】
印刷制御部４ｃは、ＲＡＭ７のイメージバッファ７Ｃ、７Ｍ、７Ｙ、７Ｋに格納されているＣＭＹＫラスタイメージデータに基づいて、機構制御部９を制御することにより、印刷機構部１１に用紙へ画像を形成させる。また、印刷制御部４ｃは、機構制御部９を制御することにより、ＲＦタグ機構部１２に領域検出決定部４ｂにより決定された画像の領域にＲＦタグ２２が位置するように、用紙へＲＦタグ２２を付加させる。また、印刷制御部４ｃは、機構制御部９を制御することにより、印刷データ２１に含まれる書込データをＲＦタグ機構部１２にＲＦタグ２２へ書き込ませる。
【００３５】
図６は、本発明の第１実施形態に係るレーザープリンタの構成図である。
レーザープリンタ３の感光体ユニット１３は、イエローのトナー像を形成するための感光体ドラム１３Ｙと、マゼンタのトナー像を形成するための感光体ドラム１３Ｍと、ブラックのトナー像を形成するための感光体ドラム１３Ｋと、シアンのトナー像を形成するための感光体ドラム１３Ｃとを有する。各感光体ドラム１３Ｙ、１３Ｍ、１３Ｋ、１３Ｃは、時計回り方向に回転するようになっている。
【００３６】
感光体ユニット１３において、各感光体ドラム１３Ｙ、１３Ｍ、１３Ｋ、１３Ｃに接触するように、各感光体ドラム１３Ｙ、１３Ｍ、１３Ｋ、１３Ｃを帯電させる帯電ローラ３３Ｙ、３３Ｍ、３３Ｋ、３３Ｃと、一次中間転写ドラム１６Ａ、１６Ｂに転写されずに各感光体ドラム１３Ｙ、１３Ｍ、１３Ｋ、１３Ｃ上に残留したトナーを回収するクリーニングローラ３４Ｙ、３４Ｍ、３４Ｋ、３４Ｃとを有する。なお、図６においては、帯電ローラ３３Ｍ、３３Ｋ、３３Ｃ、及びクリーニングローラ３４Ｍ、３４Ｋ、３４Ｃについては、図面スペースの関係上符号を記載していないが、これらは、各感光体ドラム１３Ｍ、１３Ｋ、１３Ｃとの位置関係が、感光体ドラム１３Ｙと帯電ローラ３３Ｙ及びクリーニングローラ３４Ｙとの位置関係と同様となっている。
【００３７】
また、レーザープリンタ３には、各感光体ドラム１３Ｙ、１３Ｍ、１３Ｋ、１３Ｃに、静電潜像を形成するためのレーザ光を照射する露光ユニット１４が設けられている。
露光ユニット１４は、イエロー用のトナー像を形成させるための静電潜像を形成するためのイエロー用のレーザ光ＬＹを感光体ドラム１３Ｙに照射し、マゼンタ用のトナー像を形成させるための静電潜像を形成するためのマゼンタ用のレーザ光ＬＭを感光体ドラム１３Ｍに照射し、ブラック用のトナー像を形成させるための静電潜像を形成するためのブラック用のレーザ光ＬＫを感光体ドラム１３Ｋに照射し、シアン用のトナー像を形成させるための静電潜像を形成するためのシアン用のレーザ光ＬＣを感光体ドラム１３Ｃに照射する。各色用のレーザ光ＬＹ、ＬＭ、ＬＫ、ＬＣは、機構制御部９の制御に従って露光ユニット１４から所定のタイミングでそれぞれ照射される。
【００３８】
また、レーザープリンタ３には、感光体ドラム１３Ｙ、１３Ｍ、１３Ｋ、１３Ｃに形成された静電潜像をトナーによって現像してトナー像を形成するための現像ユニット１５が設けられている。現像ユニット１５は、イエローのトナーを収容し、イエローのトナー像を形成するための現像器１５Ｙと、マゼンタのトナーを収容し、マゼンタのトナー像を形成するための現像器１５Ｍと、ブラックのトナーを収容し、ブラックのトナー像を形成するための現像器１５Ｋと、シアンのトナーを収容し、シアンのトナー像を形成するための現像器１５Ｃとを有する。
各現像器１５Ｙ、１５Ｍ、１５Ｋ、１５Ｃは、各感光体ドラム１３Ｙ、１３Ｍ、１３Ｋ、１３Ｃのレーザ光ＬＹ、ＬＭ、ＬＫ、ＬＣが照射される走査領域より回転方向の下流側の位置において、当該感光体ドラム１３Ｙ、１３Ｍ、１３Ｋ、１３Ｃと接触するように配置されている。
【００３９】
現像器１５Ｙは、イエローのトナーを収容しているトナーカートリッジ３１Ｙと、トナー給送管３２Ｙを介して接続されている。トナー給送管３２Ｙは、内部に図示しないトナー搬送用のスクリューフィーダを備えており、図示しないモータによる駆動力により当該スクリューフィーダが回転されて、トナーカートリッジ３１Ｙに収容されているトナーが現像器１５Ｙへ供給される。
同様に、現像器１５Ｍ、１５Ｋ、１５Ｃも、それぞれマゼンタ、ブラック、シアンが収容されているトナーカートリッジ３１Ｍ、３１Ｋ、３１Ｃと、トナー給送管３２Ｍ、３２Ｋ、３２Ｃと接続されている。なお、トナー給送管３２Ｍ、３２Ｋ、３２Ｃもトナー給送管３２Ｙと同様な構成となっている。
【００４０】
また、レーザープリンタ３には、感光体ドラム１３Ｙ、１３Ｍ、１３Ｋ、１３Ｃに形成されたトナー像を用紙に転写する転写ユニット１６が設けられている。
転写ユニット１６は、感光体ドラム１３Ｙ、１３Ｍに形成されたイエローのトナー像と、マゼンタのトナー像とが転写される一次中間転写ドラム１６Ａと、感光体ドラム１３Ｋ、１３Ｃに形成されたブラックのトナー像と、シアンのトナー像とが転写される一次中間転写ドラム１６Ｂと、一次中間転写ドラム１６Ａ、１６Ｂに転写された、イエローのトナー像と、マゼンタのトナー像と、ブラックのトナー像と、シアンのトナー像とが転写される二次中間転写ドラム１６Ｃと、二次中間転写ドラム１６Ｃに形成されたトナー像を給排紙ユニット１８により給紙された用紙Ｐに転写するための転写ローラ１６Ｄとを有する。
【００４１】
一次中間転写ドラム１６Ａは、反時計回り方向に回転するようになっており、感光体ドラム１３Ｙ、１３Ｍとは、現像器１５Ｙ、１５Ｍによるトナー像の形成が行われる領域よりも、感光体ドラム１３Ｙ、１３Ｍの回転方向下流側において接触するようになっている。
一次中間転写ドラム１６Ｂは、反時計回り方向に回転するようになっており、感光体ドラム１３Ｋ、１３Ｃとは、現像器１５Ｋ、１５Ｃによるトナー像の形成が行われる領域よりも、感光体ドラム１３Ｋ、１３Ｃの回転方向下流側において接触するようになっている。
二次中間転写ドラム１６Ｃは、時計回り方向に回転するようになっており、一次中間転写ドラム１６Ａ、１６Ｂと接触するようになっている。
【００４２】
カラー印刷時においては、一次中間転写ドラム１６Ａには、感光体ドラム１３Ｍに形成されたマゼンタのトナー像の転写が開始され、その後、当該マゼンタのトナー像よりも外側に、画像における位置が一致するタイミングで、感光体ドラム１３Ｙに形成されたイエローのトナー像の転写が開始される。
一方、一次中間転写ドラム１６Ｂには、感光体ドラム１３Ｃに形成されたシアンのトナー像の転写が開始され、その後、当該シアンのトナー像よりも外側に、画像における位置が一致するタイミングで、感光体ドラム１３Ｋに形成されたブラックのトナー像の転写が開始される。
そして、二次中間転写ドラム１６Ｃには、一次中間転写ドラム１６Ａに転写されたマゼンタのトナー像と、イエローのトナー像との転写が開始される。これによって、二次中間転写ドラム１６Ｃには、ドラム内部側から、イエロー、マゼンタの順にトナー像が重ねあわされる。
【００４３】
次いで、二次中間転写ドラム１６Ｃには、イエロー、マゼンタの順に重ねあわされたトナー像の外側に、画像における位置が一致するタイミングで一次中間転写ドラム１６Ｂに転写されたシアンのトナー像と、ブラックのトナー像との転写が開始される。これによって、二次中間転写ドラム１６Ｃには、イエロー、マゼンタの順に重ねあわされたトナー像の外側に、ブラック、シアンのトナー像が重ねあわされて転写される。
【００４４】
給排紙ユニット１８は、用紙Ｐを収容する用紙カセット３５、用紙カセット３５に収容された用紙Ｐを画像形成を行う側に給紙する給紙ローラ部３６、印刷後の用紙Ｐが排紙される排紙トレイ４０、排紙トレイ４０へ用紙Ｐを排紙する排紙ローラ部３９、用紙を搬送する複数のローラ部３７、３８等を有し、用紙カセット３５に収容された用紙Ｐを、図中破線で示す搬送経路Ｒに沿って排紙トレイ４０へ搬送する。なお、図面奥行き方向を主走査方向といい、用紙が搬送される方向を副走査方向ということとする。
【００４５】
給排紙ユニット１８により、用紙カセット３５に収容された用紙Ｐは、給紙ローラ部３６、ローラ部３７によって、ＲＦタグ機構部１２まで搬送される。ＲＦタグ機構部１２においては、図示しないセンサによって用紙Ｐを検出し、例えば、ローラ部３７による用紙Ｐの送り量に基づいて、用紙Ｐにおける副走査方向の座標を検出するようにしている。
ＲＦタグ機構部１２においては、機構制御部９による制御により、ＲＦタグ２２を付加すべき用紙であれば、リーダ・ライタ部２０が用紙Ｐに付加すべきＲＦタグ２２に書込データを書き込む。
【００４６】
次いで、ＲＦタグ付加部１９が機構制御部９による制御により、領域検出決定部４ｂにより決定された画像の領域にＲＦタグ２２が位置するように、用紙ＰへＲＦタグ２２を付加する。本実施形態では、ＲＦタグ付加部１９は、ＲＦタグ２２の粘着層側の面を用紙Ｐに向けた状態で、ＲＦタグ２２の露出面を直接押下して用紙Ｐに付加する。なお、ＲＦタグ付加部１９は、付加するＲＦタグ２２を用紙Ｐの主走査方向に対して移動可能になっており、主走査方向のいずれの位置に対してもＲＦタグ２２を付加することができるようになっている。
ここで、ＲＦタグ２２を付加するように決定された領域は、ＲＦタグ２２の露出面の色と同一の色の領域又は最も露出面の色と類似する画像の領域であるので、用紙Ｐに画像が形成された際に、ＲＦタグ２２が目立つことを適切に防止できる。
【００４７】
ＲＦタグ機構部１２を通過した用紙Ｐは、給排紙ユニット１８により、さらに、転写ローラ１６Ｄまで搬送され、転写ローラ１６Ｄにより第２中間転写ドラム１６Ｃ上に形成されているイエロー、マゼンタ、ブラック、シアンのトナー像が用紙Ｐに転写される。これによって、用紙Ｐには、ＲＦタグ２２が付加されているとともに、ＲＦタグ２２の上側にトナー像が重なることとなる。
【００４８】
トナー像の転写が行われた用紙Ｐは、給排紙ユニット１８により、さらに後段の定着ユニット１７まで搬送される。定着ユニット１７は、例えば、熱と圧力とをトナー像が転写された用紙Ｐに与えて、トナー像を用紙Ｐに定着させる。ここで、上述したように、用紙Ｐに付加されたＲＦタグ２２上にトナー像が重なっているので、定着ユニット１７において溶けたトナーが、用紙Ｐ上でＲＦタグ２２を覆うようになる。このために、ＲＦタグ２２が用紙Ｐに対してより効果的に固定されるとともに、ＲＦタグ２２の外部要因による損傷を効果的に防止することができる。また、ＲＦタグ２２上にトナーが存在するので、定着ユニット１７による熱が直接ＲＦタグ２２に加えられないので、ＲＦタグ２２への熱による影響を適切に防止できる。
このように、トナー像が定着された用紙Ｐは、給排紙ユニット１８の排紙ローラ部３９により排紙トレイ４０へ排紙される。
【００４９】
図７は、本発明の第１実施形態に係る付加領域決定処理を説明するフローチャートである。
この付加領域決定処理は、コマンド解釈部４ａにより、ホスト装置２から送信された印刷データ２１のジョブ言語データ部２１ｂにＲＦタグ２２を付加するコマンドが記載されていることが検出された場合に実行される。なお、この処理以前において、コマンド解釈部４ａにより、印刷データ２１内の画像データに基づいて、ＣＭＹＫラスタイメージデータが生成されてＲＡＭ７のイメージバッファ７Ｃ、７Ｍ、７Ｙ、７Ｋに格納されているものとする。
【００５０】
まず、領域検出決定部４ｂは、判定対象とするための画像における判定対象領域Ａを決定する（ステップＳ１）。本実施形態では、処理開始直後においては、判定対象領域Ａを図４に示すように画像における左側上端部の領域としている。また、後述するステップＳ６に引き続いて行う場合には、前回の判定対象領域Ａを図中（１）の示す方向に１画素ずらした領域を新たな判定対象領域とし、また、前回の判定対象領域が画像中の右側端部にある場合には、左側端部において図中（２）に示す方向に１画素ずらした領域を新たな判定対象領域として決定する。
そして、領域検出決定部４ｂは、判定対象領域の複数の画素についての階調値の平均値を各色毎に算出することにより特徴階調値を算出し（ステップＳ２）、当該特徴階調値に対応する同一類似度順位を類似度テーブル２６から取得する（ステップＳ３）。
次いで、領域検出決定部４ｂは、新たに取得した類似度順位が、ＲＡＭ７に記憶されている同一類似度順位より上位か否か判定する（ステップＳ４）。なお、処理を開始して初めてこのステップを行う場合においては、ＲＡＭ７には、最下位の同一類似度順位が登録されているものとする。
【００５１】
この結果、新たに取得した同一類似度順位がＲＡＭ７に記憶されている同一類似度順位より上位である場合には、当該判定対象領域が、ＲＦタグ２２の露出面の色と同一であるか又は、ＲＦタグ２２の露出面の色に、以前の判定対象領域より類似していることを意味しているので、ＲＡＭ７に記憶されている領域を示す位置の情報を、当該判定対象領域を示す画像における位置に更新するとともに、ＲＡＭ７に記憶されている同一類似度順位を、当該取得した同一類似度順位に更新し（ステップＳ５）、次のステップＳ６に進む。
一方、新たに取得した同一類似度順位がＲＡＭ７に記憶されている同一類似度順位より上位でない場合には、当該判定対象領域が、ＲＦタグ２２の露出面の色に以前の判定対象領域より類似していないことを意味しているので、何もせずに次のステップＳ６に進む。
【００５２】
次いで、画像内におけるすべての領域について対象としたか否かを判定し（ステップＳ６）、すべての領域を対象としていない場合には、他の領域に対して、上記同様な処理（ステップＳ１〜Ｓ６）を行う一方、すべてを対象とした場合には、この時点においてＲＡＭ７に記憶されている領域を示す位置をＲＦタグ２２の付加領域として決定して印刷制御部４ｃに通知する（ステップＳ７）。この結果、印刷制御部４ｃによる制御により、用紙における決定された付加領域に、ＲＦタグ２２が付加されることとなる。
このように、上記処理によって、ＲＦタグ２２の露出面の色と同一の色の領域又は最も露出面の色と類似する画像中の領域を適切に検出することができる。
【００５３】
次に、本発明の第２実施形態に係るレーザープリンタについて説明する。
第２実施形態に係るレーザープリンタは、第１実施形態に係るレーザープリンタとは、ＲＦタグ２２を付加するＲＦタグ機構部の構成及びＲＦタグ２２を付加する動作が異なるものであり、ＲＦタグ機構部１２に代えて、ＲＦタグ機構部４１を備えるようにしたものである。ここでは、第１実施形態に係るレーザープリンタと異なる部分について説明する。なお、第２実施形態においては、ＲＦタグ２２には粘着層がないものとする。
図８は、本発明の第２実施形態に係るレーザープリンタの構成図である。
レーザープリンタ３において、ＲＦタグ機構部４１は、ＲＦタグ付加部４２、リーダ・ライタ部２０、二次中間転写ドラム１６Ｃを有する。第２実施形態では、ＲＦタグ付加部４２及び二次中間転写ドラム１６ＣがＲＦタグ付加手段に相当する。
【００５４】
ＲＦタグ付加部４２及びリーダ・ライタ部２０は、二次中間転写ドラム１６Ｃにおける一次中間転写ドラム１６Ｂによるトナー像の転写領域よりも回転方向下流側において、当該二次中間転写ドラム１６Ｃの近傍に設けられている。
ＲＦタグ付加部４２は、用紙Ｐに付加するためのＲＦタグ２２を収容しており、画像における付加領域に対応する主走査方向の位置に二次中間転写ドラム１６Ｃと対向するようにＲＦタグ２２を移動させるとともに、ＲＦタグ２２を二次中間転写ドラム１６Ｃと逆極性に帯電させておき、二次中間転写ドラム１６Ｃが回転することにより、二次中間転写ドラム１６Ｃに形成されたトナー像の画像における副走査方向の位置が付加領域の位置となった際にＲＦタグ２２を静電気力により、二次中間転写ドラム１６Ｃのトナー像上に付着させる。
【００５５】
このため、給排紙ユニット１８により、用紙Ｐが転写ローラ１６Ｄまで搬送された場合には、転写ローラ１６Ｄにより二次中間転写ドラム１６Ｃ上に形成されているイエロー、マゼンタ、ブラック、シアンのトナー像及びＲＦタグ２２が用紙Ｐに転写される。これによって、用紙Ｐには、ＲＦタグ２２が付加されるとともに、当該ＲＦタグ２２の上側にトナー像が重なることとなる。
上記したように第２実施形態によると、給排紙ユニット１８により搬送される用紙Ｐに対して直接ＲＦタグ２２の位置合わせを行う必要がなくなるので、ＲＦタグ２２を付加するために用紙Ｐの位置を検出する必要がなく、位置検出のセンサ等を備える必要がない。また、二次中間転写ドラム１６Ｃ上で画像とＲＦタグ２２とを重ねるようにしたので、ＲＦタグ２２と画像の所定の領域とを高精度に重ね合わせることができる。
【００５６】
以上、本発明を実施形態に基づいて説明したが、本発明は上述した実施の形態に限られず、他の様々な態様に適用可能である。
例えば、上記実施形態では、レーザープリンタにおいて、付加領域決定処理を実行するようにしていたが、例えば、ホスト装置２において付加領域決定処理を行うようにしてもよい。その場合には、決定した付加領域を示す位置情報を印刷データ中に含めてプリンタに送信し、プリンタにおいてその領域にＲＦタグ２２を付加するようにすればよい。
【００５７】
また、上記実施形態では、ＲＦタグ２２の露出面の色を純粋な黒として説明していたが、ＲＦタグ２２の露出面の色は、これに限られず、どのような色であってもよい。この場合には、当該色と同一又は類似する色の画像における領域を検出して決定するようにすればよく、例えば、当該色に合わせて類似度テーブルを用意しておけばよい。
また、上記実施形態では、類似度テーブル内に同一類似度順位を格納するようにしていたが、本発明はこれに限られず、例えば、類似度テーブルにおいて、同一類似度順位に従った順番で、色の階調度の組合せのみを記憶させておき、類似度テーブルにおける格納位置により同一類似度順位を判断するようにしてもよい。
【００５８】
また、上記実施形態では、画像の全面において判定対象領域の位置をずらして、すべての判定対象領域について同一類似度順位を判定し、その中で最上位の判定対象領域を検出して、ＲＦタグ２２の付加領域として決定するようにしていたが、本発明はこれに限られず、所定の順位以上の判定対象領域を検出した時点で当該判定対象領域をＲＦタグ２２の付加領域として決定するようにしてもよい。このようにすると、ＲＦタグ２２がある程度目立たない位置を検出することを可能にしつつ、処理時間を短縮することができる。
また、上記実施形態では、ＣＭＹＫラスタイメージデータの階調値に基づいてＲＦタグ２２の付加領域を検出して決定するようにしていたが、本発明はこれに限られず、ＲＧＢラスタイメージデータの階調値に基づいて、ＲＦタグ２２の付加領域を検出するようにしてもよい。
【００５９】
また、上記実施形態では、各色毎に感光体を備えるようにした、いわゆるタンデム方式のレーザープリンタを用いて説明をしていたが、例えば、１つの感光体を各色で共用するようにしたタンデム方式以外のレーザープリンタであってもよい。
また、上記実施形態では、感光体から中間転写体を介して用紙にトナー像を転写するレーザープリンタを用いて説明したが、本発明はこれに限られず、感光体から直接用紙にトナー像を転写するレーザープリンタに適用するようにしてもよい。
また、上記実施形態では、画像形成装置の一例として、レーザープリンタを用いていたが、本発明はこれに限られず、例えば、ＬＥＤから発生する光を利用した電子写真方式のプリンタ、インクジェットプリンタ、熱転写プリンタ等の他のプリンタであってもよい。
【図面の簡単な説明】
【００６０】
【図１】本発明の第１実施形態に係る画像形成システムの構成図である。
【図２】本発明の第１実施形態に係る印刷データの構成を説明する図である。
【図３】本発明の第１実施形態に係るＲＦタグの構成を説明する図である。
【図４】本発明の第１実施形態に係るＲＡＭにおける画像データ記憶状態の一例を示す概念図である。
【図５】本発明の第１実施形態に係る類似度テーブルの一例を示す図である。
【図６】本発明の第１実施形態に係るレーザープリンタの構成図である。
【図７】本発明の第１実施形態に係る付加領域決定処理を説明するフローチャートである。
【図８】本発明の第２実施形態に係るレーザープリンタの構成図である。
【符号の説明】
【００６１】
１  画像形成システム、２  ホスト装置、３  レーザープリンタ、４  ＣＰＵ、４ａ  コマンド解釈部、４ｂ  領域検出決定部、４ｃ  印刷制御部、５  通信Ｉ／Ｆ部、６  ＲＯＭ、７  ＲＡＭ、８  ＥＥＰＲＯＭ、９  機構制御部、１０  バス、１１  印刷機後部、１２  ＲＦタグ機構部、１３  感光体ユニット、１４  露光ユニット、１５  現像ユニット、１６  転写ユニット、１７  定着ユニット、１８  給排紙ユニット、１９  ＲＦタグ付加部、２０  リーダ・ライタ部、２１  印刷データ、２２  ＲＦタグ、４１  ＲＦタグ機構部、４２  ＲＦタグ付加部。
【図１】
2007140094.tif 000003
【図２】
2007140094.tif 000004
【図３】
2007140094.tif 000005
【図４】
2007140094.tif 000006
【図５】
2007140094.tif 000007
【図６】
2007140094.tif 000008
【図７】
2007140094.tif 000009
【図８】
2007140094.tif 000010